(57)【要約】【課題】洗浄することにより再使用が可能であって経済的であり、しっかり口を閉めることにより尿や便が臭ったりして周囲の人に迷惑を掛けるようなことがない携帯簡易トイレを提供する。【解決手段】柔軟性を備えたゴムを素材とし、一端を受入口２、他端を排出口５として開口させた筒状本体１と、該筒状本体１の受入口２側に着脱自在に取着され該筒状本体１を挟んで該受入口２を密閉する第一締金具１１ａと、筒状本体１の排出口５側に着脱自在に取着され該筒状本体１を挟んで該排出口５を密閉する第二締金具１１ｂと、筒状本体１を吊り下げると共に先端に着衣を係脱自在に挟む挟着具２３ａが取着される吊下具２１と、からなる。【選択図】図１
2012179233.tif 000002
【特許請求の範囲】
【請求項１】
柔軟性を備えたゴムを素材とし、一端を受入口、他端を排出口として開口させた筒状本体と、
前記筒状本体の受入口側に着脱自在に取着され該筒状本体を挟んで該受入口を密閉する第一締金具と、
前記筒状本体の排出口側に着脱自在に取着され該筒状本体を挟んで該排出口を密閉する第二締金具と、
前記筒状本体を吊り下げると共に先端に着衣を係脱自在に挟む挟着具が取着される吊下具と、からなることを特徴とする携帯簡易トイレ。
【請求項２】
前記筒状本体における受入口と排出口との間に着脱自在に取着され該筒状本体を挟んで受入口側と排出口側とを二分して密閉する第三締金具を備えた請求項１記載の携帯簡易トイレ。
【発明の詳細な説明】
【技術分野】
【０００１】
本発明は、高速道路上の車中や震災時であって周囲にトイレがない場合も、簡単に排尿や排便を済ませることができる携帯簡易トイレに関するものである。
【背景技術】
【０００２】
従来、高速道路上で渋滞に会い、しかも、この際に排尿または排便をもよおしたとき、周囲にトイレを備えたサービスエリアがあればそこまで行けばよいが、周囲に何もないとトイレのあるところまで移動する間我慢しなくてはならず、非常に困ることが起きる。このような事態のために、例えば携帯簡易トイレが開発されている。
【０００３】
すなわち、前記携帯簡易トイレとして、例えば箱の中に三角形の柱を二本形成し、中央部に長方形の穴を貫通させた箱蓋を上から被せて尻を乗せる便座部を設け、更に、その上から凝固材が入った吸収性シートを入れた廃棄用ポリ袋を被せてなり、車の座席の上に置いて簡単、安全に排尿や排便ができるようにしたものが有る（例えば、特許文献１参照。）。
【先行技術文献】
【特許文献】
【０００４】
【特許文献１】特開２００８−２８９８４８号公報（第２−３頁、図５、図６）
【発明の概要】
【発明が解決しようとする課題】
【０００５】
しかしながら、前記特許文献１に係る携帯簡易トイレにあっては、周囲にトイレがない場合でも、その場で容易にかつ安全に排尿や排便ができるものの、箱と共にその中に収納する凝固剤が入った廃棄用ポリ袋を準備しなくてはならない。特に、箱は予備が必要になり、また、廃棄用ポリ袋は必要人数分揃えなくてはならない。しかも、凝固剤の入った廃棄用ポリ袋は一度使用すると、再利用がきかず二度使うようなことはないので、これら携帯簡易トイレを用意するに費用が嵩み不経済であるという課題が有る。また、車中で排尿や排便を済ませると、排気用ポリ袋の口はしっかりと締めにくいため、その口から臭気が漏れ易く、近くに広がり他人に迷惑を及ぼすといった課題も有る。
【０００６】
そこで、本発明は上記課題を解決すべくなされたもので、洗浄することにより再使用が可能であって経済的であり、しかも、しっかり口を閉めることができ、尿や便が臭ったりして周囲の人に迷惑を掛けるようなことがない携帯簡易トイレを提供することを目的とするものである。
【課題を解決するための手段】
【０００７】
かかる目的を達成するため本発明に係る携帯簡易トイレは、柔軟性を備えたゴムを素材とし、一端を受入口、他端を排出口として開口させた筒状本体と、前記筒状本体の受入口側に着脱自在に取着され該筒状本体を挟んで該受入口を密閉する第一締金具と、前記筒状本体の排出口側に着脱自在に取着され該筒状本体を挟んで該排出口を密閉する第二締金具と、前記筒状本体を吊り下げると共に先端に着衣を係脱自在に挟む挟着具が取着される吊下具と、からなることを特徴とする。
【０００８】
この際、前記筒状本体における受入口と排出口との間に着脱自在に取着され該筒状本体を挟んで受入口側と排出口側とを二分して密閉する第三締金具を備えることが好ましい。
【発明の効果】
【０００９】
本発明に係る携帯簡易トイレは、筒状本体が柔軟性を備えたゴムから成形されているので、丈夫で水洗いもできることから、使用後に洗浄することにより再使用が可能であって極めて経済的である。また、受入口側や排出口側は第一締金具や第二締金具によってしっかりと密閉されるので、筒状本体内に溜まった尿や便が漏れたり、その臭いが飛散して周囲の人に迷惑を掛けるようなことはないという効果を有する。
【００１０】
また、前記筒状本体における受入口と排出口との間に該筒状本体を挟んで受入口側と排出口側とを二分して密閉する第三締金具を取着するようにすれば、筒状本体内に尿または便が溜まった状態で携帯簡易トイレを再び使用せねばならなくなった場合でも、第三締金具を取着することにより先に溜まった尿又は便が排出口側で密閉されるので、受入口を開き用を足すとき臭いが少なく、不快感なく用が足せるという効果がある。
【図面の簡単な説明】
【００１１】
【図１】本発明に係る携帯簡易トイレの斜視図。
【図２】筒状本体の斜視図。
【図３】第一締金具の斜視図。
【図４】挟着具の斜視図。
【図５】図１のＸ−Ｘ線断面図。
【図６】（イ）は男性の使用状態を示す説明図、（ロ）は女性の使用状態を示す説明図。
【発明を実施するための形態】
【００１２】
以下、本発明に係る携帯簡易トイレの最良の実施の形態を図面に基づき詳しく説明する。図１は本発明に係る携帯簡易トイレの斜視図、図２は筒状本体の斜視図、図３は第一締金具の斜視図、図４は挟着具の斜視図である。携帯簡易トイレＡは、柔軟性を備えた合成ゴム、天然ゴムといったゴムからなる筒状本体１と、該筒状本体１を挟んで着脱自在に取着される第一乃至第三締金具１１ａ，１１ｂ，１１ｃと、筒体本体１を吊り下げるための吊下具２１とからなる。
【００１３】
前記筒状本体１は略縦長扁平状に形成され、上端に受入口２が開設されている。また、下端側は括れ部３が設けられると共にその外側に両側縁がテーパー状に広がる排出部４が延設され、該排出部４の下端に排出口５が開設されている。通常、筒状本体１の縦の寸法は例えば４２０ｍｍ、横の寸法は例えば１８０ｍｍに設定される。これら寸法は例示であって、この寸法に限定されるものではない。
【００１４】
第一締金具１１ａと他の第二・第三締金具１１ｂ，１１ｃとは同じ構造からなるので、便宜上第一締金具１１ａについて説明する。第一締金具１１ａは、金属製であって一端で第一支軸１８ａにより互いに軸着される主杆１２と副杆１３とからなる。そして、主杆１２における副杆１３と重ね合わさる面にその長手方向に沿って凹条部１４が形成され、副杆１３における主杆１２と重ね合わさる面にその長手方向に沿って前記凹条部１４に嵌る凸条部１５が形成されている。
【００１５】
また、前記主杆１２の他端に第二支軸１８ｂにより該主杆１２の回動面に沿って回動するロック部材１６が軸着されている。該ロック部材１６は、副杆１３を主杆１２側へ重ねるように回動させたとき、該副杆１３の他端を向かい入れるように断面がＵ字状をなし、しかも、その回動する方向に沿った内周面１６ａが内側へ凸状に突出するように湾曲している。これに対し、前記副杆１３の他端には該副杆１３の回動面内で回転する円盤状の転子１７が第三支軸１８ｃにより軸着されている。そこで、第一支軸１８ａを中心として副杆１３を回動させ主杆１２と重ね合わせたとき、主杆１２の凹条部１４に副杆１３の凸条部１５が嵌る。
【００１６】
この際、主杆１２と副杆１３との間に前記筒状本体１が入り挟着されることになる。この状態で、ロック部材１６を副杆１３側へ回動させ転子１７に被せるようにする。これにより、転子１７がロック部材１６の内周面１６ａに接しながら転動し奥へ進む。ロック部材１６の内周面１６ａは中央部が内側へ凸状に突出するように湾曲しているので、その奥へ進んだ転子１７は自力で元の位置に戻ることができないことになる。これにより、ロックされた状態になり主杆１２と副杆１３とがしっかりと合わさって固定され、その間で挟着される筒状本体１が密閉される。
【００１７】
前記吊下具２１は一本のバンド２２の両端、すなわち上端に挟着具２３ａが取着され下端に挟着具２３ｂが取着される。これら挟着具２３ａ，２３ｂは、対向する面に互いに噛合する歯部２４，２４が設けられ、常にはコイルバネ（図示せず。）によりこれら歯部２４，２４が互いに噛み合うように付勢される一対の摘片２５，２５を備えている。よって、逆に両摘片２５をコイルバネの付勢に抗して開くことによって噛み合いが解けることになる。前記吊下具２１は本発明の場合例えば２本使用されるが、これに限られるものではなく、例えば３本または４本使用するようにしても良い。
【００１８】
本発明に係る携帯簡易トイレＡは上記構成からなり、つぎにその使用方法について説明する。まず、図５に示すように筒状本体１における排出口５側に第二締金具１１ｂを取着し、主杆１２と副杆１３とにより筒状本体１を挟着して排出口５を密閉する。そして、該筒状本体１と共に他の第一締金具１１ａ、第三締金具１１ｃ及び一対の吊下具２１，２１を一体として箱詰めし例えば自動車に乗せておく。
【００１９】
そこで、高速道路を自動車で走行中に排尿または排便の用を足したくなったとき、男性の場合は前記箱から筒状本体１と共に他の第一締金具１１ａ、第三締金具１１ｃ及び一対の吊下具２１，２１を取り出す。そして、図６（イ）に示すように筒状本体１の受入口２側で一側端縁に両バンド２２，２２における下端の挟着具２３ｂ，２３ｂを挟着し、上端の挟着具２３ａ，２３ａを着衣の適宜位置に挟着させる。次に、筒状本体１を股間に配置すると共に局部に対応させて受入口２を広く開ける。このようにして、排尿または排便を済ませ筒状本体１内に尿または便を収納する。
【００２０】
排尿または排便の用が足せれば、筒状本体１における受入口２側に第一締金具１１ａを取着して該受入口２を密閉する。そして、各吊下具２１の上端の挟着具２３ａを着衣から外すと共に下端の挟着具２３ｂを筒状本体１から外す。また、筒状本体１の受入口２と排出口５の間で尿または便を排出口５側に位置させた状態で、それより上方に第三締金具１１ｃを取着して密閉する。これにより、排出口５側の尿または便が受入口２側へ来ることはない。このように、筒状本体１を第三締金具１１ｃにより二分するのは、一度使用した携帯簡易トイレＡをそのまま二度使用する場合に尿または便が第三締金具１１ｃにより密封されることになり、臭いが飛散することが少なく周囲の人が不快感を受けることがなくなるためである。よって、第三締金具１１ｃは臭いを気にしなければ必ずしも必要とするものではない。
【００２１】
一方、女性の場合は、図６（ロ）に示すように筒状本体１の受入口２側で前後壁の各端縁にそれぞれバンド２２における下端の挟着具２３ｂを挟着し、吊下具２１の上端の挟着具２３ａを着衣の前後の適宜位置に挟着させる。そして、前記と同様に筒状本体１を股間に配置すると共に局部に対応させて受入口２を広く開ける。このようにして排尿または排便を済ませ筒状本体１内に尿または便を収納する。
【００２２】
排尿または排便の用が足せれば、男性の場合と同様に筒状本体１における受入口２側に第一締金具１１ｃを取着して該受入口２を密閉する。そして、各吊下具２１の上端の挟着具２３ａを着衣から外すと共に下端の挟着具２３ｂを筒状本体１から外す。また、同様に筒状本体１の受入口２と排出口５との間で尿または便を排出口５側に位置させた状態で、それより上方に第三締金具１１ｃを取着することにより密閉する。これにより、排出口５側の尿または便が第三締金具１１ｃの主杆１２と副杆１３との間を介して受入口２側へ来ることはない。
【００２３】
このようにして、第一乃至第三締金具１１ａ，１１ｂ，１１ｃにより密閉された状態で筒状本体１内に尿または便を収容しておく。そして、第二締金具１１ｂを外して排出口５を開放し、筒状本体１内の尿または便をトイレに流す。流した後の筒状本体１は、きれいに洗浄しておく。この場合、筒状本体１は両端が開放されているので内部の尿または便が排出し易い。筒状本体１の洗浄後は、再び筒状本体１の排出口５側に第二締金具１１ｂを取着して排出口５を密閉しておく。
【００２４】
本発明にあっては、携帯簡易トイレＡを自動車の中で使用する場合について説明したが、この他に例えば震災時などで周囲に架設トイレがない場合でも使用できる。
【００２５】
以上のように本発明に係る携帯簡易トイレＡは、筒状本体１が柔軟性を備えたゴムによって成形されているので、丈夫で水洗いもでき、使用後には洗浄することにより再使用が可能である。また、受入口２側や排出口５側は第一締金具１１ａや第二締金具１１ｂによってしっかりと密閉されるので、筒状本体１内に溜まった尿や便が漏れたり、その臭いが飛散して周囲の人に迷惑を掛け不快感を与えることはない。
【００２６】
また、筒状本体１における受入口２と排出口５との間に該筒状本体１を挟んで受入口２側と排出口５側とを二分して密閉する第三締金具１１ｃを取着するようにすれば、筒状本体１内に尿または便が溜まった状態で携帯簡易トイレＡを再び使用しなくてはならなくなった場合でも、第三締金具１１ｃにより先に溜まった尿又は便が排出口５側で密閉される。よって、受入口２を開き用を足すとき臭いが少なく、これにより不快感がなく排尿または排便の用が足せることになる。
【００２７】
本発明にあっては、吊下具２１の下端に挟着具２３を取着し、該挟着具２３を筒状本体１の上端縁部に挟着して筒状本体１を吊り下げるようにしたが、バンド２２の下端を筒状本体１の外周面に固着するようにしても良い。例えば、バンド２２も筒状本体１と同様にゴムの素材により一体成形により形成し、その上端のみに挟着具２３ａを取着するようにしても良い。
【符号の説明】
【００２８】
１              筒状本体
２              受入口
５              排出口
１１ａ          第一締金具
１１ｂ          第二締金具
１１ｃ          第三締金具
２１            吊下具
２３ａ          挟着具
２３ｂ          挟着具
Ａ              携帯簡易トイレ
【図１】
2012179233.tif 000003
【図２】
2012179233.tif 000004
【図３】
2012179233.tif 000005
【図４】
2012179233.tif 000006
【図５】
2012179233.tif 000007
【図６】
2012179233.tif 000008